(57)【要約】      （修正有）【課題】トナーカートリッジを提供する。【解決手段】ハウジング、感光ドラム、伝動機構３０およびキャップ４０を備える。ハウジングはキャップを装着するための側面開口部を有する。感光ドラムはハウジングに内蔵され、仮想軸線を有する。伝動機構はシャフトおよび二つの爪を有する。二つの爪はシャフトの一端に旋転可能なように装着され、開放位置と閉合位置との間を回転でき、かつ先端部３６１を有する。爪が開放位置に据えられる際、先端部と仮想軸線との間の距離は爪の先端部以外の部位と仮想軸線との間の距離より大きい。キャップは貫通孔４４を有する。シャフトは貫通孔に入り込み、開放状態の二つの爪を貫通孔内に位置させる。上述した特徴により、キャップの貫通孔と二つの爪とが相互に衝突することは排除されるため、あらかじめ二つの爪を閉合させることを必要にせず、直接キャップをハウジングの側面開口部に装着すればよい。従って、キャップの装着作業に手間があまり掛からない。【選択図】図９
0003210340.tif 000002
【実用新案登録請求の範囲】
【請求項１】
ハウジング、感光ドラム、伝動機構およびキャップを備え、
前記ハウジングは、内部空間と、前記内部空間および外部に連絡する側面開口部とを有し、
前記感光ドラムは、前記ハウジングの前記内部空間に装着され、仮想軸線を有し、
前記伝動機構は、歯車、シャフトおよび二つの爪を有し、前記歯車は前記感光ドラムの一端に固定され、前記シャフトは一端が前記歯車に装着され、前記歯車および前記シャフトは前記感光ドラムと同軸であり、二つの前記爪は前記シャフトの他端に旋転可能なように装着され、開放位置と閉合位置との間を回転でき、かつ先端部を有し、前記爪が前記開放位置に据えられる際、前記先端部と前記仮想軸線との間の距離は前記爪の前記先端部以外の部位と前記仮想軸線との間の距離より大きく、前記爪が前記閉合位置に据えられる際、前記爪の任意の部位と前記仮想軸線との間の距離は開放状態の前記爪の前記先端部と前記仮想軸線との間の距離より小さく、
前記キャップは、本体および貫通孔を有し、前記本体は前記ハウジングの前記側面開口部に配置され、前記歯車に当接し、前記貫通孔は前記本体に形成され、
前記伝動機構の前記シャフトは、前記貫通孔に入り込み、開放状態の二つの前記爪を前記貫通孔内に位置させることを特徴とする、
トナーカートリッジ。
【請求項２】
前記キャップの前記本体は、前記歯車に近い一側に桿状部を有し、前記歯車から離れる一側に拡張部を有し、前記キャップの前記貫通孔は前記桿状部および前記拡張部の内側縁部によって形成されることを特徴とする請求項１に記載のトナーカートリッジ。
【請求項３】
前記歯車は、環状溝を有し、前記キャップの前記桿状部は前記環状溝に入り込むことを特徴とする請求項２に記載のトナーカートリッジ。
【請求項４】
前記桿状部は、円形桿状を呈することを特徴とする請求項２または請求項３に記載のトナーカートリッジ。
【請求項５】
前記キャップの前記拡張部と前記感光ドラムの前記仮想軸線との間の最小距離は、前記キャップの前記桿状部の内側半径より小さいかそれと一致することを特徴とする請求項４に記載のトナーカートリッジ。
【考案の詳細な説明】
【技術分野】
【０００１】
本考案は、トナーカートリッジ、特に電子撮像装置の内部に装着されるトナーカートリッジに関するものである。
【背景技術】
【０００２】
トナーカートリッジに内蔵される感光体ドラムは感光作用によって電気伝導を生じ、紙にトナーを転写させて印刷する。また、感光体ドラムは筒状感光部および伝動機構を有する。筒状感光部はトナーカートリッジのハウジングに内蔵される。伝動機構は筒状感光部の一端に装着され、かつトナーカートリッジのハウジングの開口部に突出し、電子撮像装置に内蔵された駆動機構に接続されるため、駆動機構の旋転に伴って生じた動力を筒状感光部に伝送できる。トナーカートリッジのキャップはハウジングの開口部に配置され、穿孔を有する。伝動機構はハウジングの開口部、即ちキャップの穿孔を貫通するため、ハウジングの開口部にキャップをスムーズに装着することができる。
【０００３】
市販のトナーカートリッジに適用する伝動機構は構造が様々である。例えば、シャフトおよび二つの爪を有する伝動機構の場合、二つの爪はシャフトの一端に旋転可能なように配置され、シャフトに対して開放作動または閉合作動を生じる。伝動機構が外力を受けていない場合、二つの爪は開放位置に据えられるため、ハウジングの開口部にキャップを装着しようとしてもキャップの一部分の構造と爪とが相互に衝突することが原因で装着作業がうまくいかない。従って、ハウジングの開口部にキャップをうまく装着するには、あらかじめ二つの爪を閉合させる必要があり、その結果、装着作業に手間が掛かってしまう。
【考案の概要】
【考案が解決しようとする課題】
【０００４】
本考案は、上述した問題に鑑み、ハウジングの開口部にキャップを装着する際に手間があまり掛からないトナーカートリッジを提供することを主な目的とする。
【課題を解決するための手段】
【０００５】
上述した課題を解決するため、トナーカートリッジはハウジング、感光ドラム、伝動機構およびキャップを備える。ハウジングは内部空間と、内部空間および外部に連絡する側面開口部とを有する。感光ドラムはハウジングの内部空間に装着され、仮想軸線を有する。伝動機構は歯車、シャフトおよび二つの爪を有する。歯車は感光ドラムの一端に固定される。シャフトは一端が歯車に装着される。歯車およびシャフトは感光ドラムと同軸である。二つの爪はシャフトの他端に旋転可能なように装着され、開放位置と閉合位置との間を回転でき、かつ先端部を有する。爪が開放位置に据えられる際、先端部と仮想軸線との間の距離は爪の先端部以外の部位と仮想軸線との間の距離より大きい。爪が閉合位置に据えられる際、爪の任意の部位と仮想軸線との間の距離は開放状態の爪の先端部と仮想軸線との間の距離より小さい。キャップは本体および貫通孔を有する。本体はハウジングの側面開口部に配置され、歯車に当接する。貫通孔は本体に形成される。シャフトは貫通孔に入り込み、開放状態の二つの爪を貫通孔内に位置させる。
【０００６】
伝動機構の二つの爪が開放位置に据えられても、二つの爪はキャップの貫通孔に衝突することなく、キャップの貫通孔に格納されることができる。上述したとおり、ハウジングの側面開口部にキャップを装着する際、あらかじめ二つの爪を閉合状態に維持することを必要にせず、直接キャップをハウジングの側面開口部に装着すればよい。従って、キャップの装着作業に手間があまり掛からない。
【図面の簡単な説明】
【０００７】
【図１】本考案の一実施形態によるトナーカートリッジを示す斜視図である。
【図２】本考案の一実施形態によるトナーカートリッジの感光ドラム、伝動機構およびキャップを示す斜視図である。
【図３】本考案の一実施形態によるトナーカートリッジにおいて伝動機構の爪が開放位置に据えられる状態を示す側面図である。
【図４】本考案の一実施形態によるトナーカートリッジにおいて伝動機構の爪が閉合位置に据えられる状態を示す側面図である。
【図５】本考案の一実施形態によるトナーカートリッジにおいて歯車がキャップに当接する状態を示す側面図である。
【図６】本考案の一実施形態によるトナーカートリッジのキャップを示す斜視図である。
【図７】本考案の一実施形態によるトナーカートリッジのキャップを示す別の斜視図である。
【図８】本考案の一実施形態によるトナーカートリッジのキャップを示す正面図である。
【図９】本考案の一実施形態によるトナーカートリッジのキャップおよび伝動機構を示す正面図である。
【考案を実施するための形態】
【０００８】
以下、本考案によるトナーカートリッジを図面に基づいて説明する。
（一実施形態）
図１に示すように、本考案の一実施形態によるトナーカートリッジ１は、電子撮像装置（図中未表示）に装着され、ハウジング１０、感光ドラム２０（図２参照）、伝動機構３０およびキャップ４０を備える。
【０００９】
ハウジング１０は、トナーを充填するための内部空間１２と、内部空間１２および外部、即ちハウジング１０以外の空間に連絡する側面開口部１４とを有する。
【００１０】
感光ドラム２０は、ハウジング１０の内部空間１２に装着され、仮想軸線Ｌを有する。感光ドラム２０は仮想軸線Ｌを中心に旋転する。
【００１１】
伝動機構３０は、歯車３２、シャフト３４および二つの爪３６を有する。歯車３２は感光ドラム２０の一端に固定され、環状溝３２１を有する。シャフト３４は一端が歯車３２に可動するか安定するように装着される。歯車３２およびシャフト３４は感光ドラム２０の仮想軸線Ｌと同軸である。二つの爪３６はシャフト３４の他端に旋転可能なように装着され、開放位置（図３参照）と閉合位置（図４参照）との間を回転でき、かつ先端部３６１を有する。爪３６が開放位置に据えられる際、先端部３６１と仮想軸線Ｌとの間の距離Ｄは爪３６の先端部３６１以外の部位と仮想軸線Ｌとの間の距離より大きい。爪３６が閉合位置に据えられる際、爪３６の任意の部位と仮想軸線Ｌとの間の距離は開放状態の爪３６の先端部３６１と仮想軸線Ｌとの間の距離Ｄより小さい。二つの爪３６は電子撮像装置の駆動機構（図中未表示）に連結されるため、伝動機構３０は駆動機構の旋転に伴って生じた動力を感光ドラム２０に伝送し、感光ドラム２０を旋転させることができる。二つの爪３６と駆動機構とが分離する際、二つの爪３６は開放位置に据えられる。二つの爪３６が駆動機構に連結される際、二つの爪３６は閉合位置に据えられる。
【００１２】
図１および図５から図９に示すように、キャップ４０は本体４２および貫通孔４４を有する。本体４２はハウジング１０の側面開口部１４に装着され、歯車３２に当接する。貫通孔４４は本体４２に形成される。シャフト３４は貫通孔４４に入り込む。本体４２は歯車３２に近い一側に桿状部４２１を有し、歯車３２から離れる一側に拡張部４２３を有する。貫通孔４４は桿状部４２１および拡張部４２３の内側縁部によって形成される。キャップ４０の本体４２が歯車３２に当接する際、本体４２の桿状部４２１は歯車３２の環状溝３２１に入り込む。歯車３２はキャップ４０に対して旋転することができる。本実施形態において、本体４２の桿状部４２１は円形桿状を呈する。本体４２の拡張部４２３と仮想軸線Ｌとの間の最小距離は桿状部４２１の内側半径より小さいが、これに限らない。別の実施形態において、本体４２の拡張部４２３と仮想軸線Ｌとの間の最小距離は桿状部４２１の内側半径と同じであってもよい。一方、本体４２の拡張部４２３と仮想軸線Ｌとの間の最小距離は開放状態の二つの爪３６の先端部３６１と仮想軸線Ｌとの間の距離Ｄより大きいため、図９に示すように、キャップ４０の貫通孔４４に開放状態の二つの爪３６をうまく格納することができる。別の実施形態において、本体４２の桿状部４２１は円形桿状に限らず、使用状況に応じて変わってもよい。キャップ４０の貫通孔４４に開放状態の二つの爪３６をうまく格納できれば、使用状況に応じてキャップ４０の構造を変えてもよい。
【００１３】
伝動機構３０の二つの爪３６が開放位置に据えられても、二つの爪３６はキャップ４０の貫通孔４４に衝突することなく、キャップ４０の貫通孔４４に格納されることができる。上述したとおり、ハウジング１０の側面開口部１４にキャップ４０を装着する際、あらかじめ二つの爪３６を閉合状態に維持することを必要にせず、直接キャップ４０をハウジング１０の側面開口部１４に装着すればよい。従って、キャップ４０の装着作業に手間があまり掛からない。
【００１４】
以上、本考案は、上記実施形態になんら限定されるものではなく、考案の趣旨を逸脱しない範囲において種々の形態で実施可能である。
【符号の説明】
【００１５】
１：トナーカートリッジ  
１０：ハウジング  
１２：内部空間  
１４：側面開口部  
２０：感光ドラム  
３０：伝動機構  
３２：歯車  
３２１：環状溝  
３４：シャフト  
３６：爪  
３６１：先端部  
４０：キャップ  
４２：本体  
４２１：桿状部  
４２３：拡張部  
４４：貫通孔  
Ｄ：距離  
Ｌ：仮想軸線  
【図１】
0003210340.tif 000003
【図２】
0003210340.tif 000004
【図３】
0003210340.tif 000005
【図４】
0003210340.tif 000006
【図５】
0003210340.tif 000007
【図６】
0003210340.tif 000008
【図７】
0003210340.tif 000009
【図８】
0003210340.tif 000010
【図９】
0003210340.tif 000011